(57)【要約】【課題】ハウジングを大型化することなく、電流の計測を容易に行うことができるとともに、製造コストの増加を抑えることができるタップ装置を提供することにある。【解決手段】タップ装置１は、プラグ接続部２ａが設けられるハウジング２と、一端側がプラグ接続部２ａに接続され他端側がハウジング２外部に導出される電圧側配線８ａと接地側配線８ｂと接地線８ｃを有する電線８と、電圧側配線８ａと接地側配線８ｂと接地線８ｃを個別に分離する中枠５とを備え、ハウジング２の前面にはハウジング２の幅方向両側面が開口された凹所Ｔが設けられ、凹所Ｔには、その底面にねじ挿通孔２ｆが設けられ、且つ電流計９の検出部９０を取付可能となるようにハウジング２の長さ方向で対向する凹所Ｔの内面同士を連結する計測用配線収納部２ｂ，２ｃが設けられ、計測用配線収納部２ｂ，２ｃには中枠５で分離された電圧側配線８ａと接地側配線８ｂが個別に貫装される。【選択図】図１
2008034150.tif 000002
【特許請求の範囲】
【請求項１】
プラグが電気的且つ機械的に接続されるプラグ接続部が設けられるハウジングと、一端側がプラグ接続部に接続され、他端側がハウジング内から外部に導出される配線群からなる電源接続用の電線と、一本の配線を残りの配線群から分離させる配線分離手段とを備え、ハウジングの厚み方向一面には、ハウジングの幅方向両側面の少なくとも一方が開口された凹所が設けられ、該凹所には、その底面に、ハウジングの設置面への取り付けに用いられる取付ねじ用のねじ挿通孔が設けられ、且つ、環状の検出部を有する非接触型の電流計の検出部を取付可能となるように、ハウジングの長さ方向で対向する凹所の内面同士を連結する計測用配線収納部が設けられ、該計測用配線収納部には、配線分離手段により分離された一本の配線が貫装されていることを特徴とするタップ装置。
【請求項２】
配線分離手段とハウジングは別体に形成されていることを特徴とする請求項１に記載のタップ装置。
【請求項３】
プラグが電気的且つ機械的に接続されるプラグ接続部が設けられるハウジングと、一端側がプラグ接続部に接続され、他端側がハウジング内から外部に導出される配線群からなる電源接続用の電線とを備え、ハウジング内には、一本の配線を残りの配線群から分離させた状態で前記一本の配線を収納する計測用配線収納部が設けられ、計測用配線収納部には、ハウジングの設置面への取り付けに用いられる取付ねじ用のねじ挿通孔を備えるボス部が設けられ、ハウジングには、計測用配線収納部をハウジング外部に臨ませる開口部が設けられ、前記一本の配線は、開口部からハウジング外部に引き出し可能となるように撓ませた状態で計測用配線収納部に収納されていることを特徴とするタップ装置。
【請求項４】
ハウジングには、開口部を開閉するカバーが設けられていることを特徴とする請求項３に記載のタップ装置。
【請求項５】
前記一本の配線は、ボス部を迂回するようにして計測用配線収納部に収納されていることを特徴とする請求項３又は４に記載のタップ装置。
【発明の詳細な説明】
【技術分野】
【０００１】
本発明は、例えば情報ラックに格納されるサーバ等の機器に電力を供給するために用いられるタップ装置に関するものである。
【背景技術】
【０００２】
従来から、図６に示すようなタップ装置１００が提供されている。このタップ装置１００は、例えば、情報ラックに格納されるサーバ等の機器に電力を供給するために用いられるものであって、長尺箱状のハウジング２００と、ハウジング２００の長手方向一端側から導出され、屋内に設置されたコンセント等を介して商用電源等の電源に接続される電源接続用の電線３００とを備えている（例えば、特許文献１）。
【０００３】
ハウジング２００は、樹脂材料を用いて形成されており、その一面には、プラグの栓刃が各別に挿通される接地側栓刃挿通孔４０１、電圧側栓刃挿通孔４０２、及び接地極用栓刃挿通孔４０３を備えるコンセント口４００が長手方向に複数（図６に示す例では８つ）列設されている。また、ハウジング２００の長手方向両端側には、タップ装置１００を情報ラックの壁面等の設置面に取り付けるための取付ねじ用のねじ挿通孔５００がそれぞれ厚み方向に貫設されている。さらに、ハウジング２００の長手方向一端側の側面には、電線３００用の電線挿通孔２００ａが設けられている。
【０００４】
一方、ハウジング２００の内部には、コンセント口４００の接地側栓刃挿通孔４０１からハウジング２００内に挿入されたプラグの栓刃が接触接続される刃受（図示せず）を有する接地側端子板（図示せず）と、電圧側栓刃挿通孔４０２からハウジング２００内に挿入されたプラグの栓刃（図示せず）が接触接続される刃受（図示せず）を有する電圧側端子板（図示せず）と、接地極用栓刃挿通孔４０３からハウジング２００内に挿入されたプラグの栓刃（図示せず）が接触接続される刃受（図示せず）を有する接地極用端子板（図示せず）とが収納されており、これら各端子板の刃受とコンセント口とによって、プラグが電気的且つ機械的に接続されるプラグ接続部Ｐが構成されている。
【０００５】
電線３００は、例えばキャプタイヤケーブルやＶＶＲ等であって、図示しない絶縁被覆された３本の配線、すなわち電圧側配線と、接地側配線と、接地極用配線（以下、単に「接地線」と略す）と、これらを束ねて内包する絶縁樹脂製の筒状の外被３１０とで構成されている。この電線３００は、電圧側配線が電圧側端子板に、接地側配線が接地側端子板に、接地線が接地極用端子板に、それぞれハウジング２００内において接続された状態で、ハウジング２００の長手方向一端側の側面に設けられた電線挿通孔２００ａからハウジング２００外部に導出されている。
【０００６】
また、電線３００において、ハウジング２００に接続された端部と反対側の端部には、プラグ６００が接続され、これにより屋内に設置されたコンセント（図示せず）等に接続できるようになっている。
【０００７】
以上述べたタップ装置１００は、ハウジング２００に設けられた一対のねじ挿通孔５００，５００を用いて情報ラックの壁面等の所望の設置面に取り付けられ、各プラグ接続部Ｐにサーバ等の機器のプラグを接続した状態で使用に供される。
【０００８】
一方、タップ装置としては、長尺箱状のハウジングと、ハウジングの長手方向一端側から導出され、屋内に設置されたコンセント等を介して商用電源等の電源に接続される一対の配線（電極ライン）を有する電線とを備え、クランプメータの検出部（クランプ部）を挿入可能な大きさの挿入路をハウジングにハウジングを前後方向に貫通するようにして設け、一対の配線をハウジング内に挿入路を挟んで対置させた状態で収納したものが提供されている（例えば、特許文献２）。
【特許文献１】特開２００３−４４１８０号公報（図１参照）
【特許文献２】特開２００５−２７６７９８号公報（図１参照）
【発明の開示】
【発明が解決しようとする課題】
【０００９】
ところで、前者（特許文献１）のタップ装置１００には、上述したようにサーバ等の多数の機器が接続されるが、このようなサーバ等は後に増設される場合がある。このとき、増設したサーバを同じタップ装置１００に接続していくと、タップ装置１００に流れる電流がブレーカの許容量を越えてしまうおそれがある。
【００１０】
ここで、タップ装置１００に流れる電流がブレーカの許容量を越えた際には、ブレーカがトリップ動作し、これによりタップ装置１００に接続されている全ての機器への電力供給が停止してしまう。
【００１１】
サーバ等の機器は一般的に常時動作していることが望まれているため、タップ装置１００への機器の追加によるブレーカのトリップ動作を防止したいという要望があり、トリップ動作を防止するためには、タップ装置１００に流れる電流を計測する必要があった。
【００１２】
タップ装置１００に流れる電流を計測する手段としては、クランプメータや、ＣＴ（電流トランス）等の環状の検出部を有する非接触型の電流計を用いる方法が簡便であるが、これらを用いて電流の計測を行うためには、電線の一本の配線のみを環状の検出部に挿通させる必要がある。
【００１３】
そのため、図６に示すタップ装置１００では、上記のような電流計を用いて計測を行うことができず、タップ装置１００に流れる電流を計測するためには、タップ装置１００が接続されているブレーカ（図示せず）を探して、このブレーカに接続されている６００Ｖビニル絶縁電線（ＩＶ線）等に流れる電流を計測しなければならず、非常に手間がかかり、電流の計測を容易に行うことができなかった。
【００１４】
そこで、電流値をデジタル、又はアナログ表示する電流計をハウジングに一体に備えるタップ装置が提供されている。このようなタップ装置は、タップ装置に設けられた電流計を見ることによって電流の計測を行うことができ、上述したようにクランプメータやＣＴ等の電流計を用いてブレーカの電線に流れる電流を計測する場合に比べて、電流の計測が非常に容易に行えるという利点がある。
【００１５】
ところが、上述したような電流計を備えるタップ装置は、非常にコストが高くなるという問題があり、その上、電流計を一体に設けた分だけハウジングが大型化してしまうという問題があった。また、電流値の計測は常時必要なものではないから、使い難いという問題もあった。
【００１６】
そこで、特許文献２に示すように、クランプメータの検出部（クランプ部）を挿入可能な大きさの挿入路を、図６に示すようなタップ装置１００のハウジング２００にハウジング２００を前後方向に貫通するようにして設け、一対の配線をハウジング２００内に挿入路を挟んで対置させた状態で収納することによって、各配線に流れる電流を個別に測定可能とすることが考えられる。
【００１７】
しかしながら、クランプメータの検出部は比較的大きいものであるから、このような検出部を挿入可能な挿入路をハウジングの前後方向に貫設しようとした際には、挿入路を形成するための部位をハウジングに設けなくてはならず、これによりハウジングが大型化してしまうという問題があった。
【００１８】
本発明は上述の点に鑑みて為されたもので、その目的は、ハウジングを大型化することなく、電流の計測を容易に行うことができるとともに、製造コストの増加を抑えることができるタップ装置を提供することにある。
【課題を解決するための手段】
【００１９】
上述の課題を解決するために、請求項１のタップ装置の発明では、プラグが電気的且つ機械的に接続されるプラグ接続部が設けられるハウジングと、一端側がプラグ接続部に接続され、他端側がハウジング内から外部に導出される配線群からなる電源接続用の電線と、一本の配線を残りの配線群から分離させる配線分離手段とを備え、ハウジングの厚み方向一面には、ハウジングの幅方向両側面の少なくとも一方が開口された凹所が設けられ、該凹所には、その底面に、ハウジングの設置面への取り付けに用いられる取付ねじ用のねじ挿通孔が設けられ、且つ、環状の検出部を有する非接触型の電流計の検出部を取付可能となるように、ハウジングの長さ方向で対向する凹所の内面同士を連結する計測用配線収納部が設けられ、該計測用配線収納部には、配線分離手段により分離された一本の配線が貫装されていることを特徴とする。
【００２０】
請求項２のタップ装置の発明では、請求項１の構成に加えて、配線分離手段とハウジングは別体に形成されていることを特徴とする。
【００２１】
請求項３のタップ装置の発明では、プラグが電気的且つ機械的に接続されるプラグ接続部が設けられるハウジングと、一端側がプラグ接続部に接続され、他端側がハウジング内から外部に導出される配線群からなる電源接続用の電線とを備え、ハウジング内には、一本の配線を残りの配線群から分離させた状態で前記一本の配線を収納する計測用配線収納部が設けられ、計測用配線収納部には、ハウジングの設置面への取り付けに用いられる取付ねじ用のねじ挿通孔を備えるボス部が設けられ、ハウジングには、計測用配線収納部をハウジング外部に臨ませる開口部が設けられ、前記一本の配線は、開口部からハウジング外部に引き出し可能となるように撓ませた状態で計測用配線収納部に収納されていることを特徴とする。
【００２２】
請求項４のタップ装置の発明では、請求項３の構成に加えて、ハウジングには、開口部を開閉するカバーが設けられていることを特徴とする。
【００２３】
請求項５のタップ装置の発明では、請求項３又は４の構成に加えて、前記一本の配線は、ボス部を迂回するようにして計測用配線収納部に収納されていることを特徴とする。
【発明の効果】
【００２４】
請求項１のタップ装置の発明は、ハウジングの厚み方向の一面に、ハウジングの幅方向両側面の少なくとも一方が開口された凹所を設けるとともに、環状の検出部を有する非接触型の電流計の検出部を取付可能となるように、ハウジングの長さ方向で対向する凹所の内面同士を連結する計測用配線収納部を設け、この計測用配線収納部に、配線分離手段により分離された一本の配線を貫装しているので、計測用配線収納部を電流計の検出部に挿通させるだけの簡単な作業でタップ装置に流れる電流の計測を行うことができ、これにより従来のようにブレーカの電線を用いて電流測定を行う必要がなくなって、電流の計測を容易に行うことができるという効果を奏し、加えて従来のように電流計を一体に設けなくて済むから、製造コストの増加を抑えることができるという効果を奏する。その上、ハウジングに設けた凹所の底面には、ハウジングの設置面の取り付けに用いられるねじ挿通孔を設けているから、ハウジングにおいてねじ挿通孔を設ける部位と計測用配線収納部を設ける部位とを共用することができ、これによりハウジングの大型化を防止できるという効果を奏する。
【００２５】
請求項２のタップ装置の発明は、配線分離手段とハウジングとを別体とすることで、タップ装置の組立性の向上を図ることが可能になるという効果を奏する。
【００２６】
請求項３のタップ装置の発明は、電線の配線群より分離された一本の配線を、ハウジングの開口部からハウジング外部に取り出すだけの簡単な作業でタップ装置に流れる電流値の計測を行うことが可能となり、これにより従来のようにブレーカの電線を用いて電流測定を行う必要がなくなって、電流の計測を容易に行うことができるという効果を奏し、しかも、従来のように電流計を一体に設けなくて済むから、製造コストの増加を抑えることができるという効果を奏する。その上、計測用配線収納部に、ハウジングの設置面への取り付けに用いられる取付ねじ用のねじ挿通孔を備えるボス部を設けているので、ハウジングにおいてねじ挿通孔を設ける部位と計測用配線収納部を設ける部位とを共用することができ、これによりハウジングの大型化を防止できるという効果を奏する。
【００２７】
請求項４のタップ装置の発明は、電流の計測を行わないときには、蓋部により開口部を閉じることができ、これにより開口部からゴミや埃がハウジング内に侵入してしまうことを防止できるという効果を奏する。
【００２８】
請求項５のタップ装置の発明は、タップ装置の設置面への取り付けに用いられる取付ねじ用のねじ挿通孔を備えるボス部を迂回するように、一本の配線を計測用配線収納部に収納しているので、一本の配線を開口部からハウジング外部に引き出し可能となるように撓ませた状態で計測用配線収納部に収納するための部材を別途設ける必要がなくなり、これにより構成を簡素化して製造コストを低減できるという効果を奏する。
【発明を実施するための最良の形態】
【００２９】
（実施形態１）
以下に、本実施形態のタップ装置１について図１及び図２を参照して説明する。尚、以下の説明では、説明の簡略化のために、図１（ｂ）の上方をタップ装置１の前方、図１（ｂ）の下方をタップ装置１の後方とそれぞれ規定する。また尚、図２では図面の簡略化のために図１（ａ），（ｂ）とはタップ装置１の寸法を異ならせてある。
【００３０】
本実施形態のタップ装置１は、例えば、情報ラックに格納されるサーバ等の機器に電力を供給するためのものであって、図１（ａ），（ｂ）に示すように、プラグ（図示せず）が電気的且つ機械的に接続されるプラグ接続部２ａが設けられるハウジング２と、一端側がプラグ接続部２ａに接続され、他端側がハウジング２内から外部に導出される電圧側配線８ａ、接地側配線８ｂ、及び接地極用配線（以下、「接地線」と略称する）８ｃからなる配線群を有する電源接続用の電線８と、電圧側配線８ａと接地側配線８ｂと接地線８ｃとを個別に分離する（すなわち、電線８の電圧側配線８ａを接地側配線８ｂ及び接地線８ｃから分離させるとともに、接地側配線８ｂを電圧側配線８ａ及び接地線８ｃから分離させる）配線分離手段となる中枠５とを備えている。
【００３１】
そして、ハウジング２の厚み方向一面である前面には、ハウジング２の幅方向（図１（ｂ）における左右方向）両側面が開口された凹所Ｔが設けられ、該凹所Ｔには、その底面に、ハウジング２の設置面への取り付けに用いられる取付ねじ用のねじ挿通孔２ｆが設けられ、且つ、環状の検出部９０を有する非接触型の電流計９の検出部９０を取付可能となるようにハウジング２の長さ方向で対向する凹所Ｔの内面同士を連結する計測用配線収納部２ｂ，２ｃが設けられ、該計測用配線収納部２ｂ，２ｃには、中枠５により分離された電圧側配線８ａ及び接地側配線８ｂが個別に貫装されている。
【００３２】
まず、本実施形態において使用する電流計９について説明する。このような電流計９は、図１（ｂ）に示すように、例えば、切断等をすることなく既設の配線の電流を計測可能なクランプメータや、ＣＴ等であって、円環状の検出部９０と、検出部９０の開口９０ａ内を挿通させた配線に流れる電流の値を表示する表示部（図示せず）を備える本体部９１とを有している。
【００３３】
検出部９０ａは、本体部９１に固定される円弧状の固定片９０ｂと、検出部９０の周方向において固定片９０ｂに接離するように本体部９１に取り付けられる円弧状の可動片９０ｃとを備えており、可動片９０ｃを固定片９０ｂから離間させることで、電流計測の対象となる配線等を容易に検出部９０の開口９０ａに挿通させることができるようになっている。尚、クランプメータやＣＴは、従来周知のものであるから、詳細な説明は省略する。
【００３４】
次に、本実施形態のタップ装置１について詳細に説明する。
【００３５】
電線８は、例えばキャプタイヤケーブルやＶＶＲ等であって、絶縁被覆された３本の配線、すなわち電圧側配線８ａ、接地側配線８ｂ、及び接地線８ｃからなる配線群と、これらを束ねて内包（絶縁被覆）する絶縁樹脂製の円筒状の外被８ｄとで構成されている。
【００３６】
ハウジング２は、図１（ａ），（ｂ）及び図２に示すように、長尺矩形状のものであって、主としてボディ３と、カバー４と、中枠５とを備えている。これらボディ３、カバー４、及び中枠５は、ともに熱可塑性樹脂（例えば、塩化ビニル）等を用いた樹脂成形品である。尚、本実施形態のハウジング２は、その長手方向一端側の端部にのみ特徴があり、その他の構成は、図６に示す従来例のハウジング２００と同様であるから、図示及びその説明を省略する。
【００３７】
ボディ３は、厚み方向（図１（ｂ）における上下方向）の一面である前面が開口された長尺箱状に形成されている。このボディ３の長手方向一端側の側面の前端縁部の中央部には、図２に示すように、ボディ３の内外を連通させる半円状の第１の電線用切欠部３ａが形成されている。また、ボディ３の長手方向一端側の幅方向両側面の前端縁部には、ボディ３の内外を連通させる略矩形状の第１の中枠用切欠部３ｂがそれぞれ形成されている。
【００３８】
一方、ボディ３の内底面における第１の電線用切欠部３ａの近傍、且つ第１の中枠用切欠部３ｂとボディ３の幅方向において重複しない部位には、後述する固定具６とで電線８を固定する略矩形状のリブ３ｃが一体に突設されている。このリブ３ｃの前端面の中央部には、半円状の切欠部３ｄが形成されている。また、リブ３ｃの前端面における切欠部３ｄの両側（ボディ３の幅方向両側）には、固定具６を取り付けるための取付ねじＳに対応する一対のねじ孔３ｅ，３ｅが設けられている。
【００３９】
加えて、ボディ３の内底面における第１の中枠用切欠部３ｂ間の中央部には、ボディ３の長手方向を自身の長手方向とする長円状のボス部３ｆが一体に突設されている。このボス部３ｆには、タップ装置１を情報ラックの壁面等の設置面（図示せず）に取り付ける取付ねじ（図示せず）用の孔部３ｇがボディ３を前後方向に貫通するように設けられている。尚、孔部３ｇは、ボディ３の長手方向を自身の長手方向とする長孔状に形成されており、これによりタップ装置１の取り付け位置を調整できるようになっている。また、ボディ３の長手方向他端側の底面には、タップ装置１を情報ラックの壁面等の設置面（図示せず）に取り付ける取付ねじ（図示せず）用のねじ挿通孔（図示せず）が設けられている。
【００４０】
カバー４は、図１（ａ），（ｂ）に示すように、ボディ３の前面開口を覆うようにしてボディ３に被着されるものであり、厚み方向の他面である後面が開口した長尺箱状に形成されている。尚、カバー４の長手方向及び幅方向（短手方向）の寸法は、ボディ３と略同寸法に形成されている。
【００４１】
このカバー４の長手方向一端側の側面の後端縁部には、半円状の第２の電線用切欠部４ａが形成されている。この第２の電線用切欠部４ａは、カバー４をボディ３に被着した際にボディ３の第１の電線用切欠部３ａとともに略円形状の電線挿通孔２ｄを構成するものであり、電線挿通孔２ｄは、電線８をハウジング２外部へ導出するために用いられる。
【００４２】
また、カバー４の長手方向一端側の幅方向両側面の後端縁部には、略矩形状の第２の中枠用切欠部４ｂが形成されている。この第２の中枠用切欠部４ｂは、カバー４をボディ３に被着した際にボディ３の第１の中枠用切欠部３ｂとともに略矩形状の窓孔２ｅを構成するためのものであり、窓孔２ｅは、中枠４の幅方向両側面をハウジング２外部に露出させるために用いられる。
【００４３】
一方、カバー４の前面において第２の中枠用切欠部４ｂ間の中央部には、略矩形状の窓孔４ｃがカバー４を前後方向に貫通するようにして設けられている。この窓孔４ｃは、ボディ３の孔部３ｇをハウジング２外部に臨ませることができるとともに、電流計９の検出部９０の固定片９０ｂ又は可動片９０ｃを挿通可能な大きさに形成している。
【００４４】
このカバー４において窓孔４ｃの幅方向一端側（図１（ｂ）における左端側）の部位である長片部４ｄは、後述する中枠５の長片部５ｃとで電線８の電圧側配線８ａを収納する角筒状の測定用配線収納部２ｂを構成するためのものであり、図１（ｂ）に示すように、ハウジング２の内側となる面（すなわち後面）に、ハウジング２の長手方向に伸びる配線挿通用の第１の溝部４ｅが設けられている。
【００４５】
また、カバー４において窓孔４ｃの幅方向他端側（図１（ｂ）における右端側）の部位である長片部４ｆは、後述する中枠５の長片部５ｅとで電線８の接地側配線８ｂを収納する角筒状の測定用配線収納部２ｃを構成するためのものであり、図１（ｂ）に示すように、ハウジング２の内側となる面に、ハウジング２の長手方向に伸びる配線挿通用の第１の溝部４ｇが設けられている。
【００４６】
ここで、カバー４の長片部４ｄ，４ｆは、各測定用配線収納部２ｂ，２ｃが、電流計９の検出部９０の開口９０ａを挿通できる大きさとなるように、その幅寸法及び厚みを設定している。
【００４７】
さらに、カバー４の前面には、後述する受口カバー７用の略矩形状の開口部４ｈが長手方向に複数（例えば８つ）列設されている。また、カバー４の前面の長手方向他端側には、ボディ３の長手方向他端側に設けられたねじ挿通孔を露出させる孔部（図示せず）が形成されている。
【００４８】
中枠５は、図１及び図２に示すように略矩形の箱状に形成されており、その幅方向の寸法は、ハウジング２の幅方向の寸法と同じ大きさに形成されている。また、中枠５は、幅方向の両側面の形状がハウジング２の窓孔２ｅと同形状となるように形成されており、幅方向の両側面には中枠５の内外を連通させる略矩形状の開口部５ａがそれぞれ形成されている。ここで、開口部５ａは、電流計９の検出部９０の固定片９０ｂ又は可動片９０ｃを挿通可能な大きさに形成している。
【００４９】
一方、中枠５の前面には、中枠５の内外を連通させる矩形状の開口部５ｂが設けられており、この開口部５ｂは、カバー４の窓孔４ｃと同じ大きさに形成されている。
【００５０】
この中枠５において開口部５ｂの幅方向一端側（図１（ｂ）における左端側）の部位である前述の長片部５ｃは、カバー４の長片部４ｄとで測定用配線収納部２ｂを構成するためのものであり、図１（ｂ）に示すように、カバー４と対向する面（すなわち前面）に、カバー４の第１の溝部４ｅとともに配線用の収納室を構成する第２の溝部５ｄが形成されている。
【００５１】
また、中枠５において開口部５ｂの幅方向他端側（図１（ｂ）における右端側）の部位である前述の長片部５ｅは、カバー４の長片部４ｆとで測定用配線収納部２ｃを構成するためのものであり、図１（ｂ）に示すように、カバー４と対向する面に、カバー４の第１の溝部４ｇとともに配線用の収納室を構成する第２の溝部５ｆが形成されている。
【００５２】
ここで、中枠５の長片部５ｃ，５ｅは、各測定用配線収納部２ｂ，２ｃが、電流計９の検出部９０の開口９０ａを挿通できる大きさとなるように、その幅寸法及び厚みを設定している。
【００５３】
さらに、中枠５の底面には、中枠５をボディ３に取り付けた際に、ボディ３の孔部３ｇとともに、ハウジング２の取り付けに用いられる取付ねじ用のねじ挿通孔２ｆを構成する孔部５ｇが設けられている。加えて、中枠５の外底面には、中枠５をボディ３に取り付けた際に、ボディ３の内底面との間に接地線８ｃ配置用の空間部を確保する凹部５ｈが設けられている。また、中枠５の外底面における孔部５ｇの開口縁部には、図１（ｂ）に示すように、周壁部５ｉが一体に突設されている。周壁部５ｉは、中枠５をボディ３に取り付けた際に、後端面がボディ３のボス部３ｆの前端面と衝合するような形状に形成されている。
【００５４】
前述の固定具６は、長尺状の金属板等を用いて、リブ３ｃとで電線８の外被８ｄを狭持する略円弧状の押さえ片６ａと、押さえ片６ａの両端にそれぞれ設けられた取り付け片６ｂとを一体に備える略Ω字状に形成されており、各取り付け片６ｂには、取付ねじＳ用のねじ挿通孔６ｃが形成されている。
【００５５】
前述の受口カバー７は、例えばユリア樹脂等の樹脂材料を用いて、プラグ（図示せず）の栓刃が各別に挿通される電圧側栓刃挿通孔７ａ、接地側栓刃挿通孔７ｂ、及び接地極用栓刃挿通孔７ｃからなるコンセント口７ｄが設けられた矩形板状に形成されている。
【００５６】
また、ハウジング２には、電圧側栓刃挿通孔７ａからハウジング２内に挿入されたプラグの栓刃が接触接続される刃受（図示せず）を有する電圧側端子板（図示せず）と、接地側栓刃挿通孔７ｂからハウジング２内に挿入されたプラグの栓刃（図示せず）が接触接続される刃受（図示せず）を有する接地側端子板（図示せず）と、接地極用栓刃挿通孔７ｃからハウジング２内に挿入されたプラグの栓刃（図示せず）が接触接続される刃受（図示せず）を有する接地極用端子板（図示せず）とが収納され、これら各端子板の刃受とコンセント口７ｄとによって、プラグが電気的且つ機械的に接続されるプラグ接続部２ａが構成される。尚、電圧側端子板、接地側端子板、及び接地極用端子板の構成は、従来周知のものを採用することができるから、詳細な説明は省略する。また尚、プラグ接続部２ａの構成は、図１に示すような接地極付きのものに限られるものではなく、接続するプラグの種類も、Ａ型や、Ｂ型等であってもよく、またプラグの栓刃の抜止構造を設けるか否かも任意である。
【００５７】
以上述べた部材を用いて本実施形態のタップ装置１は構成されており、各部材は次のようにして取り付けられている。
【００５８】
中枠５は、図１（ｂ）に示すように、幅方向の両側面をボディ３の第１の中枠用切欠部３ｂ，３ｂにそれぞれ嵌め合わせた状態でボディ３に取り付けられ、中枠５をボディ３に取り付けた際には、中枠５の周壁部５ｉとボディ３のボス部３ｆとが衝合するとともに、中枠５の孔部５ｇとボディ３の孔部３ｇとが連通し、これにより中枠５の底面にねじ挿通孔２ｆが設けられることになる。また、中枠５の外底面とボディ３の内底面との間に、電線８の接地線８ｃを収納する空間部が形成される。
【００５９】
電線８は、一端側の外被８ｄを剥いて電圧側配線８ａ、接地側配線８ｂ、及び接地線８ｃを露出させるとともに、電圧側配線８ａを中枠５の長片部５ｃの溝部５ｄに、接地側配線８ｂを中枠５の長片部５ｅの溝部５ｆに、接地線８ｃを中枠５とボディ３との間の前記空間部にそれぞれ収納し、且つ電線８の他端側をボディ３の第１の電線切欠部３ａからボディ３外部に導出した状態で、ボディ３に固定される。
【００６０】
ここで、電線８のボディ３への固定は、電線８の外被８ｄ部分をボディ３のリブ３ｃの切欠部３ｄ内に配置した後に、固定具６の取り付け片６ｂのねじ挿通孔６ｃを挿通させた取付ねじＳをリブ３ｃのねじ孔３ｅにそれぞれ螺着して固定具６をリブ３ｃに取り付けることで行われる。つまり、電線８は、外被８ｄ部分が、リブ３ｃと固定具６の押さえ片６ａとで狭持されることで、ボディ３に固定される。
【００６１】
一方、ボディ３には、上述した電圧側端子板、接地側端子板、及び接地極用端子板が収納される。そして、ボディ３に収納された電圧側端子板には電圧側配線８ａが、接地側端子板には接地側配線８ｂが、接地極用端子板には接地線８ｃがそれぞれ接続される。
【００６２】
カバー４は、窓孔４ｃに中枠５の開口部５ｂを連通させるとともに、中枠５の幅方向の両側面を第２の中枠用切欠部４ｂ，４ｂにそれぞれ嵌め合わせた状態でボディ３に取り付けられる。これに並行して、カバー４の開口部４ｈには、受口カバー７が取り付けられる。
【００６３】
以上により図１（ａ），（ｂ）に示すようなタップ装置１が得られ、このタップ装置１では、第１の電線用切欠部３ａ及び第２の電線切欠部４ａからなり電線８が挿通される電線挿通孔２ｄと、第１の中枠用切欠部３ｂ及び第２の中枠用切欠部４ｂからなり中枠５の幅方向の両側面をそれぞれ露出させる窓孔２ｅとが構成される。そして、このタップ装置１では、中枠５の内部空間が、ハウジング２の前面に設けられるとともにハウジング２の幅方向両側面が開口された凹所Ｔとなり、凹所Ｔの底面である中枠５の底面には、ねじ挿通孔２ｆが構成されている。
【００６４】
また、ハウジング２内に収納された電圧側端子板、接地側端子板、及び接地極用端子板の各刃受と、コンセント口７ｄとによって、プラグが電気的且つ機械的に接続されるプラグ接続部２ａが構成され、このプラグ接続部２ａの電圧側端子板、接地側端子板、及び接地極用端子板には、それぞれ電圧側配線８ａ、接地側配線８ｂ、及び接地線８ｃが接続されており、これによりプラグへの電力供給が行われる。
【００６５】
さらに、図１（ｂ）に示すように、第１の溝部４ｅが設けられたカバー４の長片部４ｄと、第２の溝部５ｄが設けられた中枠５の長片部５ｃとによって角筒状の測定用配線収納部２ｂが構成される。ここで、中枠５の開口部５ａ，５ｂは、ともに電流計９の検出部９０の固定片９０ｂ又は可動片９０ｃを挿通可能な大きさに形成してあり、これにより、測定用配線収納部２ｂは、電流計９の検出部９０を取付可能となるようにハウジング２の長さ方向で対向する凹所Ｔの内面同士を連結している（すなわちハウジング２の長さ方向で対向する中枠５の内面同士を連結している）。そして、測定用配線収納部２ｂには、電線８の電圧側配線８ａが、測定用配線収納部２ｂを貫通した状態で収納（貫装）されている。
【００６６】
また、第１の溝部４ｇが設けられたカバー４の長片部４ｆと、第２の溝部５ｆが設けられた中枠５の長片部５ｅとによって、角筒状の測定用配線収納部２ｃが構成される。ここで、中枠５の開口部５ａ，５ｂは、ともに電流計９の検出部９０の固定片９０ｂ又は可動片９０ｃを挿通可能な大きさに形成してあり、これにより、測定用配線収納部２ｃは、電流計９の検出部９０を取付可能となるようにハウジング２の長さ方向で対向する凹所Ｔの内面同士を連結している（すなわちハウジング２の長さ方向で対向する中枠５の内面同士を連結している）。そして、測定用配線収納部２ｃには、電線８の接地側配線８ｂが、測定用配線収納部２ｃを貫通した状態で収納（貫装）されている。
【００６７】
したがって、本実施形態のタップ装置１において電線８の電圧側配線８ａに流れる電流を計測する際には、図１（ｂ）に示すように、電圧側配線８ａの一部が収納されている測定用配線収納部２ｂを、電流計９の検出部９０の開口９０ａに挿通させればよい。また、タップ装置１において電線８の接地側配線８ｂに流れる電流を計測する際には、接地側配線８ｂの一部が収納されている測定用配線収納部２ｃを、電流計９の検出部９０の開口９０ａに挿通させればよい。
【００６８】
以上述べたように、本実施形態のタップ装置１によれば、ハウジング２の厚み方向の一面となる前面に、ハウジング２の幅方向両側面が開口された凹所Ｔを設けるとともに、電流計９の検出部９０を取付可能となるように、ハウジング２の長さ方向で対向する凹所Ｔの内面同士を連結する計測用配線収納部２ｂ，２ｃを設け、この計測用配線収納部２ｂ，２ｃに、配線分離手段によりそれぞれ分離された電圧側配線８ａ及び接地側配線８ｂを個別に貫装しているので、計測用配線収納部２ｂ，２ｃを電流計９の検出部９０の開口９０ａに挿通させるだけの簡単な作業でタップ装置１の電圧側配線８ａ又は接地側配線８ｂに流れる電流の計測を行うことができ、これにより従来のようにブレーカの電線を用いて電流測定を行う必要がなくなって、電流の計測を容易に行うことができるという効果を奏し、しかも従来のように電流計を一体に設けなくて済むから、製造コストの増加を抑えることができるという効果を奏する。
【００６９】
その上、ハウジング２に設けた凹所Ｔの底面には、ハウジング２の設置面への取り付けに用いられるねじ挿通孔２ｆを設けているから、ハウジング２においてねじ挿通孔２ｆを設ける部位と計測用配線収納部２ｂ，２ｃを設ける部位とを共用することができ（ハウジング２内のスペースを有効利用することができ）、これによりハウジングの大型化を防止できるという効果を奏する。
【００７０】
さらに、タップ装置１では、配線分離手段となる中枠５と、ハウジング２のボディ３及びカバー４とは別体に形成されているので、電線８の電圧側配線８ａ及び接地側配線８ｂの計測用配線収納部２ｂ，２ｃへの収納作業を容易に行うことができ、これによりタップ装置１の組立性の向上を図ることが可能になるという効果を奏する。
【００７１】
尚、配線分離手段となる中枠５は、ハウジング２のボディ３又はカバー４と一体に形成するようにしてもよい。このようにすれば、部品点数を減らしてタップ装置１の構成の簡素化を図ることが可能になるという効果を奏する。
【００７２】
また尚、本実施形態のタップ装置１では、電圧側配線８ａと接地側配線８ｂと接地線８ｃの３つの配線からなる電線８において、電圧側配線８ａを接地側配線８ｂ及び接地線８ｃから分離させるとともに、接地側配線８ｂを電圧側配線８ａ及び接地線８ｃから分離させる中枠５を備えている。つまり、本実施形態の中枠５は、電圧側配線８ａの電流と、接地側配線８ｂの電流とを計測可能とするものであるが、中枠５としては、電圧側配線８ａのみを接地側配線８ｂ及び接地線８ｃから分離する、すなわち電圧側配線８ａの電流のみを計測可能とするものであってもよい。要は、配線分離手段となる中枠は、電流を測定したい一本の配線を残りの配線群から分離させるようなものであればよい。
【００７３】
或いは、凹所Ｔは、ハウジング２の幅方向両側面ではなく、ハウジング２の幅方向両側面の少なくとも一方が開口されたものであってもよく、要は、ハウジング２の前面側と幅方向一側面側とを連通するような形状であればよい。
【００７４】
（実施形態２）
以下に、本実施形態のタップ装置１０について図３及び図４を参照して説明する。尚、以下の説明では、説明の簡略化のために、図３（ｂ）の上方をタップ装置１０の前方、図３（ｂ）の下方をタップ装置１０の後方とそれぞれ規定する。また尚、上記実施形態１と同様の構成については同一の符号を付して図示することで説明を省略する。
【００７５】
本実施形態のタップ装置１０は、上記実施形態１のタップ装置１と同様に、情報ラックに格納されるサーバ等の機器に電力を供給するためのものであって、図３（ａ），（ｂ）に示すように、プラグが電気的且つ機械的に接続されるプラグ接続部（図示せず）が設けられるハウジング２０と、一端側がプラグ接続部に接続され、他端側がハウジング２０内から外部に導出される電圧側配線８ａ、接地側配線８ｂ、及び接地線８ｃからなる配線群を有する電源接続用の電線８０とを備え、ハウジング２０内には、接地側配線８ｂ及び接地線８ｃから分離させた電圧側配線８ａを収納する計測用配線収納部２０ａが設けられ、ハウジング２０には、計測用配線収納部２０ａをハウジング２０外部に臨ませる開口部４０ａが設けられ、電圧側配線８ａは、開口部４０ａからハウジング２０外部に引き出し可能となるように撓ませた状態で計測用配線収納部２０ａに収納されている。
【００７６】
ハウジング２０は、図３（ａ），（ｂ）に示すように、長尺矩形状のものであって、主としてボディ３０と、カバー４０と、仕切り板５０とを備えている。これらボディ３０、カバー４０、及び仕切り板５０は、ともに熱可塑性樹脂（例えば、塩化ビニル）等を用いた樹脂成形品である。尚、本実施形態のハウジング２０は、その長手方向一端側の端部にのみ特徴があり、その他の構成は、図６に示す従来例のハウジング２００と同様であるから、図示及びその説明を省略する。
【００７７】
ボディ３０は、厚み方向（図３（ｂ）における上下方向）の一面である前面が開口された長尺箱状に形成されている。このボディ３０の長手方向一端側の側面の前端縁部の中央部には、図３（ａ）に示すように、ボディ３０の内外を連通させる半円状の第１の電線用切欠部３ａが形成されている。また、図３（ａ），（ｂ）では図示していないが、ボディ３０の内底面における第１の電線用切欠部３ａの近傍には、上記実施形態１で述べたリブ３ｃが一体に突設されている。
【００７８】
一方、ボディ３０の長手方向一端側の内底面の幅方向中央部には、ボディ３０の長手方向を自身の長手方向とする長円状のボス部３０ａが一体に突設されている。このボス部３０は、図３（ｂ）に示すように、前端面がカバー４０の前面と同じ平面上に位置するように形成されている。
【００７９】
ボス部３０ａの前面側には、タップ装置１０を情報ラックの壁面等の設置面（図示せず）に取り付けるために用いられる取付ねじ（図示せず）の頭部を収納するざぐり用の凹部３０ｂが形成されている。さらに、ボス部３０ａの凹部３０ｂの底面には、前記取付ねじ用のねじ挿通孔３０ｃがボディ３０を前後方向に貫通するように設けられている。尚、ねじ挿通孔３０ｃは、ボディ３０の長手方向を自身の長手方向とする長孔状に形成されており、これによりタップ装置１の取り付け位置を調整できるようになっている。また尚、このようなねじ挿通孔３０ｃは、ボディ３０の長手方向他端側の底面にも設けられている。
【００８０】
カバー４０は、図３（ａ），（ｂ）に示すように、ボディ３０の前面開口を覆うようにしてボディ３０に被着されるものであり、厚み方向の他面である後面が開口した長尺箱状に形成されている。尚、カバー４０の長手方向及び幅方向（短手方向）の寸法は、ボディ３０と略同寸法に形成されている。
【００８１】
カバー４０の長手方向一端側の側面の後端縁部には、半円状の第２の電線用切欠部４ａが形成されている。
【００８２】
また、カバー４０の前面の長手方向一端側には、略矩形状の開口部４０ａがカバー４０を前後方向に貫通するようにして設けられている。この開口部４０ａは、ボディ３０のボス部３０ａ及びその周辺部をハウジング２０外部に臨ませることができるような大きさに形成している。
【００８３】
一方、図３（ａ），（ｂ）では図示していないが、カバー４０の前面には、受口カバー７用の略矩形状の開口部４ｈが長手方向に複数（例えば８つ）列設されている。また、カバー４０の前面の長手方向他端側には、ボディ３０の長手方向他端側のねじ挿通孔３０ｃを露出させる孔部（図示せず）が形成されている。
【００８４】
仕切り板５０は、カバー４０との間で電圧側配線８ａを収納する測定用配線収納部２０ａを形成するとともに、ボディ３０の底面との間で接地側配線８ｂ及び接地線８ｃを収納する非測定用配線収納部２０ｂを形成するものであって、図３（ａ），（ｂ）に示すように、開口部４０ａよりも大きい略板状に形成されており、略中央部には、ボディ３０のボス部３０ａが挿通される挿通孔５０ａが厚み方向に貫設されている。
【００８５】
尚、ハウジング２０には、上記実施形態１と同様に、固定具６、受口カバー７、電圧側端子板、接地側端子板、及び接地極用端子板が設けられる。
【００８６】
電線８０は、上記実施形態１の電線８と同様のものであるが、電圧側配線８ａをハウジング２０の開口部４０ａから引き出すことができるように長く形成している点と、電圧側配線８ａにおいて開口部４０ａからハウジング２０外部に引き出される部位に、電圧側配線８ａの断線を防止するための補強用の絶縁チューブ８ｅを被嵌している点とで異なっている。尚、図３（ａ），（ｂ）では、計測用配線収納部２０に収納された状態の電圧側配線８ａを実線で、ハウジング２０外部に引き出された状態の電圧側配線８ａを破線でそれぞれ図示している。
【００８７】
以上述べた部材を用いて本実施形態のタップ装置１０は構成されており、各部材は次のようにして取り付けられている。
【００８８】
電線８０は、一端側の外被８ｄを剥いて電圧側配線８ａ、接地側配線８ｂ、及び接地線８ｃを露出させるとともに、他端側をボディ３０の第１の電線切欠部３ａからボディ３０外部に導出した状態で、ボディ３０に固定される。電線８０のボディ３０への固定は、上記実施形態１と同様に、リブ３ｃと固定具６を用いて行われる。これに並行して、電圧側配線８ａにおいて開口部４０ａからハウジング２０外部に引き出される部位に、補強用の絶縁チューブ８ｅが被嵌される。
【００８９】
仕切り板５０は、ボディ３０のボス部３０ａを挿通孔３０ａに貫装した状態で、ボディ３０に取り付けられ、仕切り板５０をボディ３０に取り付けた際には、仕切り板５０の外底面とボディ３０の内底面との間に、電線８０の接地側配線８ｂ及び接地線８ｃを収納する空間部が形成される。
【００９０】
このように仕切り板５０をボディ３０に取り付けた後には、電線８０の電圧側配線８ａは、仕切り板５０の前面側に、ボス部３０ａを迂回するようにして配置され、これにより、電圧側配線８ａは、開口部４０ａからハウジング２０外部に引き出し可能となるように撓ませた状態で計測用配線収納部２０ａに収納されることになる。この一方で、電線８０の接地側配線８ｂ及び接地線８ｃは、仕切り板５０の後面側に配置される（すなわち、非計測側配線収納部２０ｂに収納される）。
【００９１】
また、ボディ３０には、上述した電圧側端子板、接地側端子板、及び接地極用端子板が収納され、電圧側端子板には電圧側配線８ａが、接地側端子板には接地側配線８ｂが、接地極用端子板には接地線８ｃがそれぞれ接続される。
【００９２】
カバー４０は、開口部４０ａから仕切り板５０をハウジング２０外部に臨ませるようにしてボディ３０に取り付けられ、これによりカバー４０と仕切り板５０との間に、計測用配線収納部２０ａが形成される。また、カバー４０の開口部４ｈには、受口カバー７が取り付けられる。
【００９３】
以上により図３（ａ），（ｂ）に示すようなタップ装置１０が得られ、このタップ装置１０では、ハウジング２内に収納された電圧側端子板、接地側端子板、及び接地極用端子板の各刃受と、コンセント口７ｄとによって、プラグが電気的且つ機械的に接続されるプラグ接続部２ａが構成されている。
【００９４】
また、ハウジング２０内には、カバー４０と仕切り板５０との間の空間部からなり、カバー４０の開口部４０ａから外部に臨む計測用配線収納部２０ａが形成されており、この計測用配線収納部２０ａには、電圧側配線８ａが、開口部４０ａからハウジング２０外部に引き出し可能となるように撓ませた状態で収納されている。さらにハウジング２０内には、ボディ３０と仕切り板５０との間の空間部からなる非計測用配線収納部２０ｂが形成されており、この非計測用配線収納部２０ｂには、接地側配線８ｂ及び接地線８ｃが収納されている。
【００９５】
したがって、本実施形態のタップ装置１０において電線８０の電圧側配線８ａに流れる電流を計測する際には、開口部４０ａより電圧側配線８ａをハウジング２０外部に引き出して、電圧側配線８ａを電流計９の検出部９０の開口９０ａに挿通させればよい。
【００９６】
以上述べたように、本実施形態のタップ装置１０によれば、開口部４０ａよりハウジング２０外部に臨む計測用配線収納部２０ａに、接地側配線８ｂ及び接地線８ｃから分離された状態で収納された電圧側配線８ａを、ハウジング２０の開口部４０ａからハウジング２０外部に取り出すだけの簡単な作業でタップ装置１０に流れる電流値の計測を行うことが可能となり、これにより従来のようにブレーカの電線を用いて電流測定を行う必要がなくなって、電流の計測を容易に行うことができるという効果を奏し、しかも従来のように電流計を一体に設けなくて済むから、製造コストの増加を抑えることができるという効果を奏する。
【００９７】
その上、計測用配線収納部２０ａに、ハウジング２０の設置面への取り付けに用いられる取付ねじ用のねじ挿通孔３０ｃを備えるボス部３０ａを設けているので、ハウジング２０においてねじ挿通孔３０ｃを設ける部位と計測用配線収納部２０ａを設ける部位とを共用することができ（ハウジング２０内のスペースを有効利用することができ）、これにより、ハウジング２０の大型化を防止できるという効果を奏する。
【００９８】
また、タップ装置１０では、ねじ挿通孔３０ｃを備えるボス部３０ａを迂回するように、電圧側配線８ａを計測用配線収納部２０ａに収納しているので、電圧側配線８ａを開口部４０ａからハウジング２０外部に引き出し可能となるように撓ませた状態で計測用配線収納部２０に収納するための部材を別途設ける必要がなくなり、これにより構成を簡素化して製造コストを低減できるという効果を奏する。
【００９９】
加えて、タップ装置１０では、配線分離手段となる仕切り板５０と、ハウジング２０のボディ３０及びカバー４０とが別体に形成されているので、電線８０の電圧側配線８ａの計測用配線収納部２０ａへの収納作業と、接地側配線８ｂ及び接地線８ｃの非計測用配線収納部２０ｂへの収納作業とを容易に行うことができ、これによりタップ装置１０の組立性の向上を図ることが可能になるという効果を奏する。尚、仕切り板５０は、ハウジング２０のボディ３０又はカバー４０と一体に形成するようにしてもよい。このようにすれば、部品点数を減らしてタップ装置１０の構成の簡素化を図ることが可能になるという効果を奏する。
【０１００】
ところで、上記のタップ装置１０に、図４に示すような開口部４０ａを開閉する蓋部５１を設けるようにしてもよい。この蓋部５１は、例えば樹脂成形品であって、開口部４０ａを覆うことが可能な大きさに形成された平板部５１ａと、平板部５１ａの後面に突設されて開口部２０ａと凹凸嵌合するリブ（図示せず）とを一体に備えている。また、平板部５１ａには、凹部３０ｂと略同形状に形成され、蓋部５１をカバー４０に被着した際にボディ３０の凹部３０ｂと連通する連通孔５１ｂが形成されている。
【０１０１】
このように開口部４０ａを開閉する蓋部５１を設けるようにすれば、電流の計測を行わないときは、蓋部５１により開口部２０ａを閉じることで、開口部４０ａからゴミや埃がハウジング２０内に侵入してしまうことを防止できるという効果を奏する。
【０１０２】
尚、図４に示す例は、蓋部５１とハウジング２０が別体であるが、可撓性を有する連結部（図示せず）により取り付けてもよいし、蓋部５１を、ヒンジ等を用いて開口部４０ａを開閉自在となるようにハウジング２０に取り付けてもよい。このようにすれば、開口部４０ａを開いた際に、蓋部５１を紛失してしまうことを防止できる。
【０１０３】
一方、本実施形態のタップ装置１０では、電圧側配線８ａと接地側配線８ｂと接地線８ｃの３つの配線からなる電線８０において、電圧側配線８ａを接地側配線８ｂ及び接地線８ｃから分離して収納する測定用配線収納部２０ａを備えている。つまり、本実施形態の測定用配線収納部２０ａは、電圧側配線８ａの電流を計測可能とするものであるが、測定用配線収納部２０ａとしては、接地側配線８ｂを電圧側配線８ａ及び接地線８ｃから分離して収納する、すなわち接地側配線８ｂの電流のみを計測可能とするものであってもよい。要は、測定用配線収納部２０ａは、電流を測定したい一本の配線を残りの配線群から分離して収納するようなものであればよい。
【０１０４】
（実施形態３）
以下に、本実施形態のタップ装置１１について図５（ａ），（ｂ）を参照して説明する。
【０１０５】
本実施形態のタップ装置１１は、上記実施形態１のタップ装置１と同様に、情報ラックに格納されるサーバ等の機器に電力を供給するためのものであって、図５（ａ），（ｂ）に示すように、プラグが電気的且つ機械的に接続されるプラグ接続部（図示せず）が設けられるハウジング２１と、一端側がプラグ接続部に接続され、他端側がハウジング２１内から外部に導出される電圧側配線８ａ、接地側配線８ｂ、及び接地線８ｃからなる配線群を有する電源接続用の電線８１とを備えている。
【０１０６】
本実施形態のタップ装置１１は、電線８１に特徴があり、ハウジング２１等のその他の構成は、従来周知のものを用いることができるため、ハウジング２１の説明は省略する。また、上記実施形態１と同様の構成についても同一の符号を付して説明を省略する。
【０１０７】
電線８１は、絶縁被覆された３本の配線、すなわち電圧側配線８ａ、接地側配線８ｂ、及び接地線８ｃからなる配線群と、これらを束ねて内包（絶縁被覆）する絶縁樹脂製の円筒状の外被８ｄとを備えている。また、ハウジング２１外部に導出された電線８１の部位には、略円環状の配線収納部８２が設けられている。
【０１０８】
配線収納部８２は、例えば金型を用いて外被８ｄを剥いた電線８１を樹脂でモールドすることによって略円環状に形成されており、電圧側配線８ａを接地側配線８ｂ及び接地線８ｃから分離させた状態で電圧側配線８ａを収納する計測用配線収納部８２ａと、電圧側配線８ａから分離された接地側配線８ｂ及び接地線８ｃを包括して収納する非計測用配線収納部８２ｂとを有し、計測用配線収納部８２ａと、非計測用配線収納部８２ｂとの間には、電流計９の検出部９０の固定片９０ｂ又は可動片９０ｃを挿通できる大きさの開口部８２ｃが設けられている。また、計測用配線収納部８２ａは、電流計９の検出部９０の開口９０ａを挿通可能な大きさに形成されている。
【０１０９】
したがって、本実施形態のタップ装置１１において電線８１の電圧側配線８ａに流れる電流を計測する際には、計測用配線収納部８２ａを電流計９の検出部９０の開口９０ａに挿通させればよい。
【０１１０】
以上述べたように、本実施形態のタップ装置１１によれば、電線８１の電圧側配線８ａと接地側配線８ｂと接地線８ｃからなる配線群から分離された電圧側配線８ａが収納される計測用配線収納部８２ａが、電流計９の検出部９０の開口９０ａを挿通可能な大きさに形成されているので、計測用配線収納部８２ａを電流計９の検出部９０の開口９０ａに挿通させるだけの簡単な作業でタップ装置１１の電圧側配線８ａに流れる電流の計測を行うことができ、これにより従来のようにブレーカの電線を用いて電流測定を行う必要がなくなって、電流の計測を容易に行うことができるという効果を奏する上に、従来のように電流計を一体に設けなくて済むから、製造コストの増加を抑えることができるという効果を奏する。
【０１１１】
また、タップ装置１１では電線８１に配線収納部８２を設けているので、ハウジング２１に計測用配線収納部を設ける必要がなくなり、これによりハウジング２１の大型化を防止できるという効果を奏する。さらに、ハウジング２１としては、既存のものをそのまま用いることができるから、製造コストをさらに抑えることができるという効果を奏する。
【０１１２】
尚、配線収納部８２としては、電圧側配線８ａを接地側配線８ｂ及び接地線８ｃから分離させた状態で、電圧側配線８ａと、接地側配線８ｂ及び接地線８ｃとをそれぞれ埋設する樹脂モールド型に限られるものではない。例えば、樹脂成形品である樹脂ハウジングを用いて、電圧側配線８ａを接地側配線８ｂ及び接地線８ｃから分離させた状態で、電圧側配線８ａと、接地側配線８ｂ及び接地線８ｃとをそれぞれ収納するようにしてもよい。
【０１１３】
また尚、本実施形態のタップ装置１１では、電圧側配線８ａと接地側配線８ｂと接地線８ｃの３つの配線からなる電線８１において、電圧側配線８ａを接地側配線８ｂ及び接地線８ｃから分離させる配線収納部８２を備えている。つまり、本実施形態の配線収納部８２は、電圧側配線８ａの電流を計測可能とするものであるが、配線収納部８２としては、接地側配線８ｂのみを電圧側配線８ａ及び接地線８ｃから分離する、すなわち接地側配線８ｂの電流のみを計測可能とするものであってもよい。要は、配線収納部は、電流を測定したい一本の配線を残りの配線群から分離させるようなものであればよい。
【図面の簡単な説明】
【０１１４】
【図１】（ａ）は、実施形態１のタップ装置の部分斜視図であり、（ｂ）は、同図（ａ）のＡ−Ａ線における概略断面図である。
【図２】実施形態１のタップ装置の概略分解斜視図である。
【図３】（ａ）は、実施形態２のタップ装置の部分斜視図であり、（ｂ）は、同図（ａ）のＢ−Ｂ線における概略断面図である。
【図４】実施形態２のタップ装置の他例の部分斜視図である。
【図５】（ａ）は、実施形態３のタップ装置の部分斜視図であり、（ｂ）は、同図（ａ）のＣ−Ｃ線における概略断面図である。
【図６】従来例のタップ装置の概略斜視図である。
【符号の説明】
【０１１５】
１    タップ装置
２    ハウジング
２ａ  プラグ接続部
２ｂ，２ｃ  測定用配線収納部
２ｆ  ねじ挿通孔
５    中枠
８    電線
８ａ  電圧側配線
８ｂ  接地側配線
８ｃ  接地線
９    電流計
９０  検出部
Ｔ    凹所
【図１】
2008034150.tif 000003
【図２】
2008034150.tif 000004
【図３】
2008034150.tif 000005
【図４】
2008034150.tif 000006
【図５】
2008034150.tif 000007
【図６】
2008034150.tif 000008